【事件の表示】
　特許第２９４８６３５号「パチンコ機」の請求項１に係る特許に対する特許異議の申立てについて、次のとおり決定する。
【結　論】
　特許第２９４８６３５号の請求項１に係る特許を維持する。
【理　由】
 一、手続の経緯
　本件特許第２９４８６３５号に係る発明は、平成２年８月１８日に特許出願された特願平２−２１７７７３号に係り、平成１１年７月２日に設定登録され、この特許に対し、特許異議申立人河井清悦（以下、「申立人」という。）より特許異議の申立てがなされ、当審において取消理由を通知したところ、その指定期間内の平成１２年１２月１２日に特許異議意見書が提出されたものである。
　
二、特許異議申立てについて
１．特許異議申立ての理由の概要
　申立人は下記の甲第１号証を提示して、本件の特許請求の範囲に記載の請求項１に係る発明（以下、「本件発明」という。）は、甲第１号証に記載された発明と同一であるから、本件発明についての特許は特許法第２９条の２第１項の規定に違反してなされたものであり、取り消されるべきである、と申し立てている。
　　　　　　　　　　　　　　　　　記
甲第１号証：特願平２−２１０２４９号（特開平４−９６７７６号公報参照）の願書に最初に添付した明細書又は図面（以下、これを「先願当初明細書等」という。）
甲第２号証：特許第２９４７２８２号公報（本件特許出願の一部を分割した出願の特許掲載公報）
　
２．本件発明
　本件発明は、特許明細書の特許請求の範囲の請求項１に記載された次の事項により特定されるとおりのものである。
　「【請求項１】大当り状態時に特定入賞口へ打球が入賞することを条件として一定回数所定の開放状態を繰り返す可動部材と、該可動部材の開放中に受け入れられた打球を前記特定入賞口に入賞させる可能性を増大する入賞増大機構とを有する変動入賞装置を備えたパチンコ機において、前記可動部材の一定回数の開放状態のうち予め定めた回数目の開放状態のときに前記入賞増大機構の作動を禁止する禁止制御手段を設けたことを特徴とするパチンコ機。」
　
３．先願当初明細書等（甲第１号証）に記載の発明
　先願当初明細書等（甲第１号証）には、パチンコ機に関し、次の事項が記載されている。
　「遊技者にとって不利な第１状態と遊技者にとって有利な第２状態とに変換可能な可動部材を有する変動入賞装置と、打球の入賞に基づいて可動部材の変換を開始させる特定入賞スイッチを有する特定入賞口と、変動入賞装置内に設けられ、打球の入賞に基づいて特別遊技を開始させる特別入賞スイッチを有する特別入賞口と、変動入賞装置内に設けられ、特別入賞口への入賞確率を制御する誘導部材と、特定入賞スイッチからの信号に基づいて可動部材の制御を行う可動部材制御手段と、特別入賞スイッチからの信号に基づいて特別遊技の制御を行う特別遊技制御手段と、特別入賞スイッチからの信号に基づいて誘導部材の作動範囲を決定する作動範囲決定手段と、作動範囲決定手段からの信号に基づいて誘導部材の駆動を制御する誘導部材駆動制御手段と、からなることを特徴とするパチンコ機。」（１頁左欄５行〜右欄４行）
　「また、作動範囲決定手段は、特別入賞スイッチからの信号に応じて誘導部材の作動範囲を決定する。誘導部材駆動制御手段は、作動範囲決定手段からの信号に応じて誘導部材を制御し、決定された作動範囲内で誘導部材を作動させ、特別遊技の継続条件達成確率を制御する。」（２頁左下欄７行〜１３行）
　「上記した可動部材３０は、凹室内の軸受３５に支承されていて、軸受３５の後端にはクランク４１が取付けられている。またクランク４１の軸４２は主駆動装置２２のレバー４３に設けられた長穴４４に遊合していて、このレバー４３はソレノイド４５のプランジャ４６に取付けられている。したがって、ソレノイド４５のプランジャ４６が吸引されると第６図Ａで示すように可動部材３０は開き、球を開□部２５に流入させ易い遊技者にとって有利な第２状態となり、一方、ソレノイド４５の付勢がなくなりプランジャ４６が自重で下位置に戻ると、第６図Ｂで示すように可動部材３０は閉じ、球を開□部２５に流入させない遊技者にとって不利な第１状態となる。」（３頁左下欄２行〜１５行）
　「腕部５０は、上部仕切板３４の後側と、下部仕切板３６の前側上部に設けた開口部２５に挿通されている。また、腕部５０には、肩側に肩軸６９を設けてあり、肩軸６９を胴部４９の後側に形成した凹部７０に酸挿し、この凹部７０を外枠５３で後方より塞ぐことにより、腕部５０を肩軸６９を中心として左右に往復動可能に胴部４９に取付ける。肩軸６９には、内側に向かって操作突起７１が突設していて、中枠５２には、この操作突起７１が接触するカム部７２が設けてある。したがって、胴部４９が押し上げられると、操作突起７１がカム部７２によって遊技盤６の奥側から遊技盤６の手前側に向って押され、これにより肩軸６９が回動して、第６図Ａおよび第１１図に示すように、腕部５０が開く。一方、胴部４９が下位置にある場合には、第６図Ｂおよび第１０図に示すように、腕部５０は閉じている。上記した腕部５０の手により誘導部材７３を構成する。この誘導部材７３は、それぞれ分割され、上部に向かって拡開しており、手７４を合わせたときに漏斗状となり、球を特別入賞口１５へ誘導するようになっている。」（４頁右上欄１行〜左下欄２行）
　「マイクロコンピュータ等からなる制御手段７５は、可動部材制御手段７６と、特別遊技制御手段７７と、作動範囲決定手段７８と、誘導部材駆動制御手段７９と、入賞個数計数手段８０、継続回数計数手段８１とからなる。」（４頁左下欄７行〜１１行）
　「特別遊技が発生し特別遊技制御手段７７から特別遊技信号を受信した場合には可動部材３０を所定回数だけ開閉する。本実施例における特別遊技時の可動部材３０の開閉回数は、最大１８回であるが、特別入賞口１５に入賞し継続条件が成立した場合には、１８回未満であっても開閉を終了する。」（４頁右下欄５行〜１１行）
　「作動範囲決定手段７８は、特別入賞スイッチ１６と連絡し、最初に受信した特別入賞信号に基づき、乱数生成手段８４より乱数を取り出す乱数取出手段８５と、取り出した乱数に基づき誘導部材７３を特別遊技の何サイクル目まで駆動させるかを決定する誘導条件決定手段８６と、継続回数計数手段８１からの継続回数信号と誘導条件決定手段８６からの駆動サイクル数信号とを比較する比較手段８７とからなる。また、継続回数計数手段８１は、継続回数表示器２９と連絡し、継続回数表示器２９に継続回数を表示する。本実施例においては、誘導条件決定手段８６において決定する特別遊技のサイクル数は、「３回」「６回」「９回」「１２回」「１６回」の５種類とするが、サイクル数はこれらに限らず適宜に変更して実施することができる。」（４頁右下欄１６行〜５頁左上欄１１行）
　「また、特別遊技時には、上記したように可動部材駆動制御手段８３により可動部材３０の開閉を行わせるとともに、誘導部材駆動制御手段７９に信号を送信し、誘導部材７３の駆動制御を行わせる。
誘導部材駆動制御手段７９は、特別遊技制御手段７７と比較手段８７と連絡し、特別遊技時に所定の条件が達成した後、比較手段８７から誘導部材７３の作動停止信号を受信するまでの間、誘導部材７３を駆動させる。本実施例においては、比較手段８７が誘導部材７３の作動停止信号を発信するのは、上記したように継続回数が「３回」「６回」「９回」「１２回」「１６回」のいずれかとなった時である。」（５頁右上欄１０行〜左下欄３行）
　「遊技が開始され、第２特定入賞口１３に打球が入賞し第２特定入賞スイッチ２０がオンすると、有効時間タイマをセットし、０．８秒のウエイトタイム終了後、可動部材３０を０．４秒間オンとし可動部材３０を１回開閉する。ここで、特別入賞口１５に入賞して特別入賞スイッチ１６がオンすると、有効時間タイマをリセットして特別遊技を開始する。」（５頁左下欄８行〜１５行）
　「特別遊技が開始すると、乱数取出手段８５が乱数生成手段８４より乱数を取り出し、誘導条件決定手段８６が、取り出した乱数に基づき誘導部材７３を特別遊技の何サイクル目まで駆動させるかを決定する。上記したように、本実施例において決定されるサイクル数は、「３回」「６回」「９回」「１２回」「１６回」の５種類である。」（５頁右下欄１３行〜１９行）
　「ここで、特別入賞口１５に入賞して特別入賞スイッチ１６がオンすると、継続回数を調べ、継続回数が１６回未満であるならば継続回数カウンタに「１」を加算し、継続回数表示器２９に現在の継続回数を更新して表示し、可動部材３０の可動を停止し、入賞個数表示器３９の表示をリセットし、誘導部材７３の駆動をオフにして継続回数カウンタリセット後の処理に戻る。一方、継続回数が１６回以上の場合は、それ以上の特別遊技の継続は行わずに次のステップに移る。したがって、特別遊技の継続回数の上限は１６回となる。また、変動入賞装置１１内への入賞個数を計数するカウントスイッチ１８がオンになる毎に、入賞個数カウンタに「１」を加算する。ここで、入賞個数カウンタ値が「４」以上となるか、開閉カウンタ値が「６」以上となると、特別遊技の継続回数と誘導条件決定手段８６により決定したサイクル数とを比較する。そして、継続回数が決定したサイクル数以下の場合には、誘導部材７３を駆動して、特別入賞口１５への入賞確率を高めるようにする。すなわち、変動入賞装置１１内へ入賞した打球が「４個」までの間、または可動部材が「６回」開閉するまでの間、特別遊技を継続させる条件である継続特別入賞口１５への入賞がない場合に継続条件を達成し易くするのである。」（６頁左上欄６行〜右上欄１１行）
　「そして、入賞個数カウンタ値が「１０」未満か、開閉回数カウンタ値が「１８」未満の場合には、第２特定入賞スイッチのオンオフ判断処理に戻り上記処理を繰り返す。一方、入賞個数カウンタ値が「１０」以上になるか、開閉回数カウンタ値が「１８」以上になった場合には、継続回数を調べ、継続回数が「１６」未満の場合には、ウエイトタイマをセットし、ウエイトタイム（本実施例では０．８秒）内に、特別入賞口１５へ入賞し特別入賞スイッチ１６がオンすると特別遊技の継続処理へ戻り、処理を繰り返す。また、継続回数が「１６回」を超えるか、ウエイトタイム内に特別入賞口１５への入賞がない場合には、可動部材３０の可動を停止し、誘導部材７３の駆動を停止して特別遊技処理を終了する。すなわち、特別遊技の継続回数の上限は１６回であり、また、変動入賞装置１１内へ入賞した打球が「１０個」までの間、または可動部材が「１８回」開閉するまでの間、特別遊技を継続させる条件である継続特別入賞口１５への入賞がない場合には、特別遊技を終了させる。」（６頁右上欄１２行〜左下欄１２行）
　「この第２実施例は、前記した第１実施例が誘導条件決定手段８６におし、て決定した特別遊技のサイクル数までの間、誘導部材７３を駆動させるのに対して、誘導条件決定手段８６において決定したサイクル数から後、誘導部材７３を駆動させるものである。したがって、両者の相違点のみ説明し、同様の構成部分は説明を省略する。特別遊技処理において特別遊技が開始すると、乱数取出手段８５が乱数生成手段８４より乱数を取り出し、誘導条件決定手段８６が、取り出した乱数に基づき誘導部材７３を特別遊技の何サイクル目から駆動させるかを決定する。本実施例において決定されるサイクル数は「１回」「３回」「６回」「９回」「１２回」の５種類である。そして、遊技が継続され、入賞個数カウンタ値が「４」以上となるか、開閉カウンタ値が「６」以上となると、特別遊技の継続回数と誘導条件決定手段８６により決定したサイクル数とを比較する。そして、継続回数が決定したサイクル数以上になった場合に、誘導部材７３を駆動して、特別入賞口１５への入賞確率を高めるようにする。」（６頁左下欄１５行〜右下欄１５行）
　「以上説明したように本発明によれば、誘導部材により特別遊技の継続確率を変化させる場合において、誘導部材の駆動開始又が駆動停止を種々の要因により変化させているので、制御できる確率の幅が広く、遊技状態に適応した制御が可能である。したがって、遊技の興趣を損なうことなく、遊技者の利益と遊技店の利益の双方を満足させることができる。」（８頁左上欄１７行〜右上欄５行）
　
（３）対比・判断
　本件発明と先願当初明細書等に記載の発明とを対比すると、先願当初明細書等に記載の発明の「特別遊技」「特別入賞口１５」「変動入賞装置１１」 「パチンコ機」のそれぞれが、本件発明の「大当り状態」「特定入賞口」「変動入賞装置」「パチンコ機」に相当することは明らかである。
　そして、先願当初明細書等の「特別遊技が発生し特別遊技制御手段７７から特別遊技信号を受信した場合には可動部材３０を所定回数だけ開閉する。特別遊技時の可動部材３０の開閉回数は、最大１８回であるが、特別入賞口１５に入賞し継続条件が成立した場合には、１８回未満であっても開閉を終了する。」及び「特別遊技の継続回数の上限は１６回であり、また、変動入賞装置１１内へ入賞した打球が「１０個」までの間、または可動部材が「１８回」開閉するまでの間、特別遊技を継続させる条件である継続特別入賞口１５への入賞がない場合には、特別遊技を終了させる。」の記載からみて、先願当初明細書等に記載の上記「可動部材３０」が、本件発明の「大当り状態時に特定入賞口へ打球が入賞することを条件として一定回数所定の開放状態を繰り返す可動部材」に相当する。
　また、先願当初明細書等の「打球の入賞に基づいて遊技が開始され、第２特定入賞口１３に打球が入賞し第２特定入賞スイッチ２０がオンすると、可動部材３０を０．４秒オンとし可動部材３０を１回開閉する。」及び「腕部５０の手７４を合わせたときに漏斗状となり、球を特別入賞口１５へ誘導するようになっている誘導部材７３」の記載からみて、先願当初明細書等に記載の発明の「誘導部材７３」が、本件発明の「該可動部材の開放中に受け入れられた打球を前記特定入賞口に入賞させる可能性を増大する入賞増大機構」に相当する。 
　さらに、先願当初明細書等における「特別遊技が開始すると、乱数取出手段８５が乱数生成手段８４より乱数を取り出し、誘導条件決定手段８６が、取り出した乱数に基づき誘導部材７３を特別遊技の何サイクル目まで駆動させるかを決定する。」、「特別遊技の継続回数と誘導条件決定手段８６により決定したサイクル数とを比較する。そして、継続回数が決定したサイクル数以下の場合には、誘導部材７３を駆動して、特別入賞口１５への入賞確率を高めるようにする。」、「特別遊技時には、可動部材駆動制御手段８３により可動部材３０の開閉を行わせるとともに、誘導部材駆動制御手段７９に信号を送信し、誘導部材７３の駆動制御を行わせる。」、「誘導部材駆動制御手段７９は、特別遊技制御手段７７と比較手段８７と連絡し、特別遊技時に所定の条件が達成した後、比較手段８７から誘導部材７３の作動停止信号を受信するまでの間、誘導部材７３を駆動させる。」及び「比較手段８７が誘導部材７３の作動停止信号を発信するのは、上記したように継続回数が「３回」「６回」「９回」「１２回」「１６回」のいずれかとなった時である。」の記載からみて、先願当初明細書等の「可動部材制御手段７６と、特別遊技制御手段７７と、作動範囲決定手段７８と、誘導部材駆動制御手段７９と、入賞個数計数手段８０、継続回数計数手段８１とからなるマイクロコンピュータ等からなる制御手段７５」が、本件発明の「前記入賞増大機構の作動を禁止する禁止制御手段」に相当する。
　そうしてみると、先願当初明細書等の上記記載からみて、結局のところ、先願当初明細書等には「特別遊技時に特別入賞口１５へ打球が入賞することを条件として１６回までの繰り返しを上限として、最大１８回の開放状態を繰り返す可動部材３０と、該可動部材３０の開放中に受け入れられた打球を前記特別入賞口１５に入賞させる可能性を増大する誘導部材７３とを有する変動入賞装置１１を備えたパチンコ機において、乱数取出手段８５が乱数生成手段８４より取り出した乱数に基づいて、誘導条件決定手段８６が誘導部材７３を特別遊技のＸ回目のサイクルまでの駆動を決定したときに、（Ｘ＋１）回目以降のサイクルでは誘導部材７３の駆動が停止されることにより、前記可動部材３０の１６回を上限とする最大１８回の開放状態のうち最初の回の開放状態からＸ回数目の開放状態間では前記誘導部材７３を駆動させる一方、Ｘ回目の開放状態の後の前記可動部材３０の開放状態のときに前記誘導部材７３の作動を停止する制御手段７５を設けたパチンコ機」が記載されているということができる。
　したがって、両者は「大当り状態時に特定入賞口へ打球が入賞することを条件として一定回数所定の開放状態を繰り返す可動部材と、該可動部材の開放中に受け入れられた打球を前記特定入賞口に入賞させる可能性を増大する入賞増大機構とを有する変動入賞装置を備えたパチンコ機において、前記可動部材の一定回数の開放状態のうち或る回数目の開放状態のときに前記入賞増大機構の作動を禁止する禁止制御手段を設けたパチンコ機」である点で一致し、次の点で相違する。
［相違点］：禁止制御手段が入賞増大機構の作動を禁止することとなる、可動部材の一定回数の開放状態のうちの或る回数目の開放状態のときの決定の仕方が、本件発明では「予め定めた回数目の開放状態のときに」であるのに対し、先願当初明細書等に記載の発明では「乱数取出手段８５が乱数生成手段８４より取り出した乱数に基づいて、誘導条件決定手段８６が誘導部材７３を特別遊技のＸ回目のサイクルまでの駆動を決定したときに」である点。
　そこで、上記［相違点］について検討すると、先願当初明細書等に記載の発明における「乱数取出手段８５が乱数生成手段８４より取り出した乱数に基づいて、誘導条件決定手段８６が誘導部材７３を特別遊技のＸ回目のサイクルまでの駆動を決定したときに」が、本件発明の「予め定めた回数目の開放状態のときに」に相当し得るか否かについて検討すれば足りることになる。
　広辞苑（第五版）によれば、「予め」は「結果を見越して、その事がおこる前から。まえもって。かねて。」の意義であり、また、「定める」は「ゆるぎなく維持されるような状態を固定する」の意義であるから、したがって、本件発明の「予め定めた回数目の開放状態のときに」の文言の意味は、広辞苑の意義にてらして解釈すれば「まえもって定めておいた回数目の回数値Ｘがゆるぎなく維持されるような状態で回数値Ｘが定数であるようなＸ回目の開放状態のときに」の意味になる。
　一方、先願当初明細書等に記載の発明における「決定」の意義は、広辞苑（第五版）によれば「はっきりときめること。はっきりきまること、また、そのきまった事柄。」であり、さらに「決める」の主要な意義も「動きや変化のあったものを一つにする。定める。決定する。確定する。決着させる。」である。
　したがって、先願当初明細書等に記載の発明における「乱数取出手段８５が乱数生成手段８４より取り出した乱数に基づいて、誘導条件決定手段８６が誘導部材７３を特別遊技のＸ回目のサイクルまでの駆動を決定したときに」の意味は、広辞苑の意義にてらして解釈すれば「誘導部材７３の特別遊技の駆動をＸ回目のサイクルまで駆動するに際して、誘導条件決定手段８６が乱数生成手段８４から取り出した乱数Ｘに基づいて、変数であるＸ回目の数値Ｘを一義的に確定したときに」の意味になる。
　そうしてみると、禁止制御手段が入賞増大機構の作動を禁止することとなる、可動部材の一定回数の開放状態のうちの或る回数目の開放状態のときの決定の仕方が、一方の本件発明では「確固としたＸ回目の数値Ｘを予め可動部材が開放状態になる前にゆるぎなく定めておく」のに対して、先願当初明細書等に記載の発明では「乱数取出手段８５が乱数生成手段８４から乱数Ｘを取り出す毎に、誘導条件決定手段８６が当該乱数ＸによりＸ回目の数値Ｘを確定していく」というものであるから、両者間には「定数Ｘ」と「変数Ｘ」という基本的な構成上の差異が認められる。
　そうしてみると、両者間には構成上の相違点がない、ということができないので、本件発明が先願当初明細書等に記載された発明と同一である、ということができない。そして、本件発明の奏する作用効果は、特許明細書に記載の格別の効果を奏するものである。
　
４．むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年１月９日（２００１．１．９）